(57)【要約】【課題】ＨＤＭＩを介して入力される信号を効果的に選択することが可能な信号選択装置を提供すること。【解決手段】信号を入力する複数の信号入力手段（Ｃ１、Ｃ２、Ｃ３）と、これら複数の信号入力手段に対する信号の入力状態を検出する入力状態検出手段（１２）と、前記入力状態検出手段により、一つの信号入力手段だけに信号が入力されていることが検出された場合には、この信号入力手段に入力されている信号を選択し、複数の信号入力手段に信号が入力されていることが検出された場合には、予め指定された信号入力手段に入力されている信号を選択する選択手段（１１、１５）とを備えている。【選択図】    図１
2004357029.tif 000002
【特許請求の範囲】
【請求項１】
デジタルインターフェースによる複数の信号入力部と、
映像表示部を有し、前記複数の信号入力部から入力された信号を処理して出力する信号処理手段と、
前記複数の信号入力部からの信号の入力状態を検出する入力状態検出手段と、
前記入力状態検出手段により、前記複数の信号入力部のいずれか一つだけに信号が入力されていることが検出された場合には、その入力信号を選択し、複数の信号入力部に信号が入力されていることが検出された場合には、予め指定された信号入力部からの信号を選択して前記信号処理手段に供給する選択手段と、を備えたことを特徴とする信号選択装置。
【請求項２】
デジタルインターフェースによる複数の信号入力部と、
映像表示部を有し、前記信号入力部から入力された信号を処理して出力する信号処理手段と、
ユーザ操作に応じて、前記複数の信号入力部の内、所定の信号入力部を優先的に選択するよう指定する指定手段と、
前記複数の信号入力部に対する信号の入力状態を検出する入力状態検出手段と、
前記入力状態検出手段により、前記複数の信号入力部のいずれか一つだけに信号が入力されていることが検出された場合には、その入力信号を選択し、複数の信号入力部に信号が入力されていることが検出された場合には、前記指定手段により指定された所定の信号入力部からの信号を選択して前記信号処理手段に供給する選択手段と、を備えたことを特徴とする信号選択装置。
【請求項３】
前記入力状態検出手段により複数の信号入力部からの信号入力が検出されたとき、それら複数の入力状態に関する情報を前記映像表示部に表示することを特徴とする請求項１又は２に記載の信号選択装置。
【請求項４】
前記選択手段により選択された信号の入力先に関する情報を前記映像表示部に表示することを特徴とする請求項１又は２に記載の信号選択装置。
【請求項５】
前記信号処理手段は、前記選択手段により選択された信号の種別に応じて、選択された信号の映像の品位を調整する調整回路を備えたことを特徴とする請求項１又は２に記載の信号選択装置。
【請求項６】
前記デジタルインターフェースによる複数の信号入力部のほかに、アナログ信号を入力するアナログ入力端子を含み、
前記信号処理手段は、前記選択手段によって選択された信号又は前記アナログ入力端子からの信号を処理し、処理する信号の種別に応じて、映像の品位を調整する調整回路を備えたことを特徴とする請求項１又は２に記載の信号選択装置。
【請求項７】
デジタルインターフェースによる複数の信号入力端子を有し、いずれか１つの入力信号を選択的に処理して映像表示部に供給する信号選択方法であって、
前記複数の信号入力端子からの信号の入力状態を検出し、
一つの入力端子だけに信号が入力されていることが検出された場合にはその入力端子に入力されている信号を選択し、複数の入力端子に信号が入力されていることが検出された場合には予め指定された入力端子に入力されている信号を選択することを特徴とする信号選択方法。
【請求項８】
デジタルインターフェースによる複数の信号入力端子を有し、いずれか１つの信号を選択的に処理して映像表示部に供給する信号選択方法であって、
ユーザの操作に応答して、前記複数の信号入力端子のうちの所定の入力端子を指定し、
前記複数の入力端子からの信号の入力状態を検出し、
一つの入力端子だけに信号が入力されていることが検出された場合にはその入力端子に入力されている信号を選択し、複数の入力端子に信号が入力されていることが検出された場合には前記指定された所定の入力端子に入力されている信号を選択することを特徴とする信号選択方法。
【発明の詳細な説明】
【０００１】
【発明の属する技術分野】
この発明は、デジタルインターフェースによる複数の信号入力端子を備え、入力された信号のいずれかを選択して処理する信号選択装置及び信号選択方法に関する。
【０００２】
【従来の技術】
現在普及しているＴＶ放送対応の受信機は、例えばアナログビデオ信号を入力する入力端子を備えている。受信機は、この入力端子を介して外部機器からのアナログビデオ信号を受け取り、このアナログビデオ信号に基づく映像を出力表示する。
【０００３】
また、ディスプレイシステムとして、ディスプレイ装置とディスプレイアダプタとの間で制御コードを通信し合い、ディスプレイを認識する技術なども開示されている（特許文献１）。
【０００４】
【特許文献１】
特開平９−１２８１８２号公報
【０００５】
【０００６】
【発明が解決しようとする課題】
近年、次世代テレビ向けのデジタルインターフェース規格として、Ｈｉｇｈ−Ｄｅｆｉｎｉｔｉｏｎ  Ｍｕｌｔｉｍｅｄｉａ  Ｉｎｔｅｒｆａｃｅ（ＨＤＭＩ）の仕様がリリースされた。しかしながら、上記した従来のＴＶ放送対応の受信機及びディスプレイシステムは、ＨＤＭＩの搭載を想定していないという問題があった。
【０００７】
この発明の目的は、上記した問題を解決するために成されたものであって、ＨＤＭＩを介して入力される信号を効果的に選択することが可能な信号選択装置及び信号選択方法を提供することにある。
【０００８】
【課題を解決するための手段】
上記課題を解決し目的を達成するために、この発明の信号選択装置及び信号選択方法は、以下のように構成されている。
【０００９】
（１）この発明の信号選択装置は、デジタルインターフェースによる複数の信号入力部と、映像表示部を有し、前記信号入力部から入力された信号を処理して出力する信号処理手段と、前記複数の信号入力部からの信号の入力状態を検出する入力状態検出手段と、前記入力状態検出手段により、前記複数の信号入力部のいずれか一つだけに信号が入力されていることが検出された場合には、その入力信号を選択し、複数の信号入力部に信号が入力されていることが検出された場合には、予め指定された信号入力部からの信号を選択して前記信号処理手段に供給する選択手段、を備えたことを特徴とする。
【００１０】
（２）この発明は、デジタルインターフェースによる複数の信号入力端子を有し、いずれか１つの入力信号を選択的に処理して映像表示部に供給する信号選択方法であって、
前記複数の信号入力端子からの信号の入力状態を検出し、一つの入力端子だけに信号が入力されていることが検出された場合にはその入力端子に入力されている信号を選択し、複数の入力端子に信号が入力されていることが検出された場合には予め指定された入力端子に入力されている信号を選択することを特徴とする。
【００１１】
【発明の実施の形態】
以下、この発明の実施の形態について図面を参照して説明する。
【００１２】
図１は、この発明の一例の信号選択装置を適用した映像表示装置の概略構成を示すブロック図である。図１に示すように、映像表示装置１は、ＨＤＭＩ信号処理部１１、メイン制御部１２、入力選択部１３、ＴＶチューナ１４、信号受信処理部１５、映像信号表示処理部１６、映像表示部１７、及び入力端子Ｃ１、Ｃ２、Ｃ３を備えている。
【００１３】
映像表示装置１は、ＨＤＭＩ規格に準拠したデジタルインターフェースによる複数の信号入力端子を備えている。例えば、ＨＤＭＩ規格に準拠した二つの入力端子Ｃ１、Ｃ２を備えた映像表示装置１について説明する。さらに、映像表示装置１は、地上波放送のアナログ信号を入力する入力端子Ｃ３も備えている。
【００１４】
ＨＤＭＩは、ＰＣ用ディスプレイなどで採用されているＤｉｇｉｔａｌ  Ｖｉｄｅｏ  Ｉｎｔｅｒｆａｃｅ（ＤＶＩ）をベースとして規格されたインターフェースである。例えば、入力端子Ｃ１にはＡＶ機器２からのデジタル信号が入力され、入力端子Ｃ１にはＡＶ機器３からのデジタル信号が入力される。これらＡＶ機器２、３には、例えばＤＶＤ（Ｄｉｇｉｔａｌ  Ｖｅｒｓａｔｉｌｅ  Ｄｉｓｋ）プレーヤやセットトップボックス（ＳＴＢ）が該当する。
【００１５】
ＨＤＭＩ信号処理部１１は、入力端子Ｃ１、Ｃ２を介して入力されるデジタル入力信号を受け取る。ＨＤＭＩ信号処理部１１に対して、入力端子Ｃ１、Ｃ２のどちらか一方の端子から入力信号が供給される場合、ＨＤＭＩ信号処理部１１は、メイン制御部１２の制御に基づきこの供給される入力信号を選択し、選択した入力信号に対して所定の処理を行なう。ＨＤＭＩ信号処理部１１に対して、入力端子Ｃ１、Ｃ２の両端子から入力信号が供給される場合、ＨＤＭＩ信号処理部１１は、メイン制御部１２の制御に基づきどちらか一方の入力信号を優先的に選択し、選択した入力信号に対して所定の処理を行なう。
【００１６】
ＨＤＭＩ信号処理部１１により処理された入力信号は、信号受信処理部１５に入力される。また、信号受信処理部１５には、入力端子Ｃ３から入力されＴＶチューナ１４を経由する地上波放送のアナログ信号も入力される。信号受信処理部１５に対してＨＤＭＩ信号処理部１１からの入力信号だけが供給された場合、信号受信処理部１５は、メイン制御部１２の制御に基づきＨＤＭＩ信号処理部１１からの信号を選択し、選択した信号を映像信号に変換する。また信号受信処理部１５に対してＴＶチューナ１４からの入力信号だけが供給された場合は、信号受信処理部１５は、メイン制御部１２の制御に基づきＴＶチューナ１４からの入力信号を選択し、選択した信号を映像信号に変換する。
【００１７】
さらに信号受信処理部１５に対してＨＤＭＩ信号処理部１１及びＴＶチューナ１４の両方からの入力信号が供給される場合には、信号受信処理部１５は、メイン制御部１２の制御に基づきどちらか一方の入力信号を選択し、選択した入力信号を映像信号に変換する。変換された映像信号は、映像信号表示処理部１６に入力される。映像信号表示処理部１６は、映像信号を映像表示部１７（ディスプレイ）に表示するための表示信号に変換する。変換された表示信号は映像表示部１７に入力され、映像表示部１７は表示信号に基づき実際の映像を表示する。
【００１８】
次に、図２を参照して、ＨＤＭＩ信号処理部１１の概略構成について説明する。図２に示すように、ＨＤＭＩ信号処理部１１は、ＨＤＭＩ受信回路１１１、ＥＤＩＤメモリ１１２、ＨＤＣＰメモリ１１３、映像信号出力回路１１４、音声信号出力回路１１５、及びサブ制御部１１６を備えている。尚、入力端子Ｃ１、Ｃ２とＨＤＭＩ受信回路１１１間は、映像、音声信号を伝送するための高速デジタル伝送路、及び制御情報を伝達するための通信制御バスで接続されている。
【００１９】
ＥＤＩＤメモリ１１２は、例えばディスプレイに関する制御情報を記憶する。ＥＤＩＤは、Ｅｘｔｅｎｄｅｄ  Ｄｉｓｐｌａｙ  Ｉｄｅｎｔｉｆｉｃａｔｉｏｎ  Ｄａｔａの略で、ディスプレイ側（映像表示部１７）からホスト側（ＡＶ機器２、３）に対し、ディスプレイ側の情報（解像度、画素数等）を認識させるためのデータである。またＨＤＣＰメモリ１１３は、入力端子Ｃ１、Ｃ２介して入力されるデジタル入力信号のコピープロテクトを制御するためのキーデータを記憶する。尚、ＨＤＣＰは、Ｈｉｇｈ  Ｂａｎｄ  Ｄｉｇｉｔａｌ  Ｃｏｎｔｅｎｔ  Ｐｒｏｔｅｃｔｉｏｎの略である。
【００２０】
ＨＤＭＩ受信回路１１１には、入力端子Ｃ１、Ｃ２を介してデジタル入力信号が供給される。ＨＤＭＩ受信回路１１１は、例えばＤ／Ａ変換器を搭載し、入力端子Ｃ１、Ｃ２を介して入力されるデジタル入力信号に含まれるデジタル映像信号をアナログ映像信号に変換し、映像信号出力回路１１４に供給する。なお、必ずしもＨＤＭＩ受信回路１１１がＤ／Ａ変換器を搭載している必要はない。ＨＤＭＩ受信回路１１１がＤ／Ａ変換器を搭載していない場合には、ＨＤＭＩ受信回路１１１はデジタル映像信号を映像信号出力回路１１４に供給する。この場合、映像信号出力回路１１４が、Ｄ／Ａ変換器を搭載しており、デジタル映像信号をアナログ映像信号に変換し出力する。出力先は、信号受信処理部１５の映像処理系となる。また、ＨＤＭＩ受信回路１１１は、入力端子Ｃ１、Ｃ２を介して入力されるデジタル入力信号に含まれるデジタル音声信号を音声信号出力回路１１５に供給する。音声信号出力回路１１５は、Ｄ／Ａ変換器を搭載しており、デジタル音声信号をアナログ音声信号に変換し出力する。出力先は、信号受信処理部１５の音声処理系となる。
【００２１】
サブ制御部１１６は、入力端子Ｃ１、Ｃ２からの信号入力状態を検出する。つまり、サブ制御部１１６は、入力端子Ｃ１、Ｃ２から信号入力が有るか否かを検出する。サブ制御部１１６は、メイン制御部１２と交信し、信号入力状態の検出結果及びメイン制御部１２からの信号選択指示に基づき、入力端子Ｃ１、Ｃ２から供給される入力信号を選択する。
【００２２】
ここで、信号選択処理の詳細について説明する。図３は、信号選択処理の概要を示すフローチャートである。サブ制御部１１６は、常時、入力端子Ｃ１、Ｃ２からの信号入力状態を監視している（ＳＴ１）。サブ制御部１１６が、入力端子Ｃ１からの入力信号の供給を検出し、入力端子Ｃ２からの入力信号の供給を検出しない場合は（ＳＴ２、ＹＥＳ）、入力端子Ｃ１から供給される信号の選択を指示する。この指示に基づき、ＨＤＭＩ受信回路１１１は、入力端子Ｃ１から供給される信号を選択する（ＳＴ３）。同様に、サブ制御部１１６が、入力端子Ｃ２からの入力信号の供給を検出し、入力端子Ｃ１からの入力信号の供給を検出しない場合は（ＳＴ２、ＹＥＳ）、入力端子Ｃ２から供給される信号の選択を指示する。この指示に基づき、ＨＤＭＩ受信回路１１１は、入力端子Ｃ２から供給される信号を選択する（ＳＴ３）。
【００２３】
またサブ制御部１１６が、入力端子Ｃ１及びＣ２の両端子からの入力信号の供給を検出した場合は（ＳＴ２、ＮＯ）、どちらか一方の端子から供給される信号の選択を指示する。ユーザにより信号選択が設定されている場合（ＳＴ４、ＹＥＳ）、サブ制御部１１６は、ユーザによる信号選択の設定に基づき、入力端子Ｃ１及びＣ２の両端子から供給される入力信号のうちの一方を優先的に選択する（ＳＴ５）。ユーザにより信号選択が設定されていない場合（ＳＴ４、ＮＯ）、サブ制御部１１６は、デフォルトの設定に基づき入力端子Ｃ１及びＣ２の両端子から供給される入力信号のうちの一方（例えばＣ１）を選択する（ＳＴ６）。
【００２４】
続いて、上記した信号選択の設定について説明する。ユーザは、例えば映像表示装置１の各種動作を制御するリモートコントローラ或いは本体に設けられたメニュー画面表示キーを介して、映像表示部１７上に信号選択情報画面を表示させることができる（ＯＳＤ機能）。この信号選択情報画面には、例えば、現在の入力端子Ｃ１、Ｃ２からの信号入力状態、及び現在の信号選択状態（デフォルトの信号選択の設定／ユーザの信号選択の設定）などの情報が表示される。サブ制御部１１６は、現在の入力端子Ｃ１、Ｃ２からの信号入力状態を検出し、この信号入力状態の検出結果をメイン制御部１２に通知する。メイン制御部１２は、この信号入力状態の検出結果を映像信号表示処理部１６に通知する。映像信号表示処理部１６は、この信号入力状態の検出結果に基づき、映像表示部１７の信号選択情報画面上に、現在の入力端子Ｃ１、Ｃ２からの信号入力状態を表示する。
【００２５】
また、サブ制御部１１６は、デフォルトの信号選択の設定及びユーザの信号選択の設定を管理する。ユーザは、映像表示部１７に表示される信号選択情報画面を見ながら、リモートコントローラ或いは本体に設けられた入力切り換えキーにより、入力先を切り換えることができる。信号選択情報画面には、現在の入力端子Ｃ１、Ｃ２からの信号入力状態、現在の信号選択状態などの情報が表示されているので、ユーザは、これらを確認しながら入力先を切り換えることができる。このとき、現在信号が入力されている入力先だけを候補として絞って、入力先を選択させるようにしてもよい。
【００２６】
リモートコントローラ或いは本体に設けられた入力切り換えキーで受け付けられた入力先の切り換え指示は、入力選択部１３に通知される。入力選択部１３は、入力先の切り換え指示をメイン制御部１２に通知する。例えば、ユーザの信号選択の設定が「未設定」の場合には、ユーザの信号選択未設定の情報が、メイン制御部１２からサブ制御部１１６に通知される。サブ制御部１１６は、ユーザの信号選択未設定の情報を受け取ると、デフォルトの信号選択の設定を有効にする。例えば、デフォルトの信号選択の設定において、入力端子Ｃ１が選択されているとする。このとき、入力端子Ｃ１及びＣ２の両端子から入力信号が供給されている場合には、サブ制御部１１６は、入力端子Ｃ１から供給される入力信号の選択を指示する。この指示に基づき、ＨＤＭＩ受信回路１１１は、入力端子Ｃ１から供給される入力信号を選択する。
【００２７】
ユーザの信号選択の設定が「設定済み」の場合には、ユーザの信号選択設定済みの情報が、メイン制御部１２からサブ制御部１１６に通知される。サブ制御部１１６は、ユーザの信号選択設定済みの情報を受け取ると、デフォルトの信号選択の設定を無効にする。例えば、ユーザの信号選択の設定において、入力端子Ｃ２が選択されているとする。このとき、入力端子Ｃ１及びＣ２の両端子から入力信号が供給されている場合には、サブ制御部１１６は、入力端子Ｃ２から供給される入力信号の選択を指示する。この指示に基づき、ＨＤＭＩ受信回路１１１は、入力端子Ｃ２から供給される入力信号を選択する。
【００２８】
上記したような現在の信号選択の設定状態に関する情報、即ち「入力端子Ｃ１選択中」又は「入力端子Ｃ２選択中」などの情報は、信号選択情報画面上で確認することができる。また、実際に、入力端子Ｃ１又はＣ２からの入力信号が映像表示部１７上で再生されている場合は、入力端子Ｃ１又はＣ２が選択されていることを示す情報が、映像表示部１７の再生画面上の一部に表示される。さらに、映像表示装置１の本体に設けられたＬＥＤ等で、入力端子Ｃ１又はＣ２が選択されていることを示す情報を示すようにしてもよい。
【００２９】
上記説明では、入力端子Ｃ１又はＣ２のどちらを選択するかについて説明したが、映像表示装置１は、入力端子Ｃ１、Ｃ２に加えて、入力端子Ｃ３も備えている。従って、映像表示装置１は、これら３つの入力端子を選択候補とした信号選択処理を実行することもできる。この場合、信号選択処理は、ＨＤＭＩ信号処理部１１及び信号受信処理部１５の両方で実行されることになる。つまり、ＨＤＭＩ信号処理部１１では入力端子Ｃ１とＣ２のどちらかを選択する信号選択処理が実行され、信号受信処理部１５では入力端子Ｃ１又はＣ２とＣ３のどちらかを選択する信号選択処理が実行される。
【００３０】
このように、信号受信処理部１５には、デジタル機器から供給される信号又は地上波放送の信号のどちらかが入力され、どちらか一方を選択して、選択した信号を映像信号が変換される。このとき、信号受信処理部１５は、信号の種別に応じて、この信号に基づく映像の品位を調整する。つまり、デジタル機器から供給されるデジタル信号の特性に応じて、この信号に基づく映像の明るさ、コントラストなどを調整する。同様に、地上波放送のアナログ信号の特性に応じて、この信号に基づく映像の明るさ、コントラストなどを調整する。これにより、信号の特性に応じた最適な映像を映像表示部１７に表示することができる。
【００３１】
上記説明したように、この発明の映像表示装置は、ＨＤＭＩ規格に準拠した複数の入力端子を備えているので、ＨＤＭＩ規格に準拠した信号を出力する複数機器と接続することができる。また、この発明の映像表示装置は、上記説明した信号選択処理を実行するので、接続機器を効果的に選択することができる。その結果、接続機器の選択に関して、ユーザの利便性を向上することができる。さらに、この発明の映像表示装置は、接続機器の選択に関する情報を表示できるので、ユーザは現在の接続機器の選択に関する情報を的確に知ることができる。
【００３２】
なお、本願発明は、上記実施形態に限定されるものではなく、その要旨を逸脱しない範囲で種々に変形することが可能である。
【００３３】
【発明の効果】
この発明によれば、ＨＤＭＩを介して入力される信号を効果的に選択することが可能な信号選択装置及び信号選択方法を提供できる。
【図面の簡単な説明】
【図１】この発明の一例の信号選択装置を適用した映像表示装置の概略構成を示すブロック図である。
【図２】ＨＤＭＩ信号処理部の概略構成を示すブロック図である。
【図３】信号選択処理の概要を示すフローチャートである。
【符号の説明】
１…映像表示装置、２、３…ＡＶ機器、１１…ＨＤＭＩ信号処理部、１２…メイン制御部、１３…入力選択部、１４…ＴＶチューナ、１５…信号受信処理部、１６…映像信号表示処理部、１７…映像表示部、Ｃ１、Ｃ２、Ｃ３…入力端子、１１１…ＨＤＭＩ受信回路、１１２…ＥＤＩＤメモリ、１１３…ＨＤＣＰメモリ、１１４…映像信号出力回路、１１５…音声信号出力回路、１１６…サブ制御部
【図１】
2004357029.tif 000003
【図２】
2004357029.tif 000004
【図３】
2004357029.tif 000005